Podtech/llm-jp-corpus-v4-ja_patent huggingface dataset:
(57)【要約】【課題】  買った商品を入れて運ぶレジ袋を、簡単に着脱させることによって、ゴミ袋として使えるゴミ箱スタンドを提供する。【解決手段】  上面に開口部（１）を有する函体（Ａ）の右側面部（４）と左側面部（５）の両上部に耳部（７）を一体化して設け、右側面部（４）と左側面部（５）の両側面の中心線に沿って縦長の側面折り部（８）を設け、底部（１０）の横方向に底折り部（９）を設け、函体（Ａ）を全体的に折りたためるようにしたレジ袋用折りたたみ式ゴミ箱スタンド。【選択図】  図３
2005047707.tif 000002
【特許請求の範囲】
【請求項１】
上面に開口部（１）を有する函体（Ａ）の右側面部（４）と左側面部（５）の両上部に耳部（７）を一体化して設け、右側面部（４）と左側面部（５）の両側面の中心線に沿って縦長の側面折り部（８）を設け、底部（１０）の横方向に底折り部（９）を設け、函体（Ａ）を全体的に折りたためるようにしたレジ袋用折りたたみ式ゴミ箱スタンド。
【発明の詳細な説明】
【技術分野】
【０００１】  本発明はスーパーマーケットやコンビニでの買い物を持ち帰る際に渡されるレジ袋、または各自治体から配布されるレジ袋と同じ形態のゴミ用ポリ袋を、ゴミ箱として利用するスタンドに関するものである。
【背景技術】
【０００２】    レジ袋を利用したゴミ箱に関しては従来より様々な発明があり、なかでも細い棒状のステンレスのフレームをＸ字型に組み合わせ、レジ袋の持ち手部分を掛ける方式のゴミ箱スタンドが広く使用されている。
【発明の開示】
【発明が解決しようとする課題】
【０００３】    そのために、次のような問題点があった。
（イ）レジ袋の持ち手部分をフレームに掛ける方式のゴミ箱スタンドは、持ち手部分を装着する際、折り返して掛ける作業が煩わしく手早く行えなかった。
（ロ）Ｘ字型のフレームが構造的に不安定なので倒れやすかった。
（ハ）フレームにレジ袋が掛けてあるだけなので、外側からゴミが見えて美観上の問題があった。
本発明は、これらの問題点を解決するためになされたものである。
【課題を解決するための手段】
【０００４】    上面に長方形の開口部（１）を有する函体（Ａ）の右側面部（４）と左側面部（５）の両上部に耳部（７）を設け、右側面部（４）と左側面部（５）の両側面の中心線に沿って縦長の側面折り部（８）を設け、底部（１０）にも横方向の底折り部（９）を設け、底部（１０）の右側面部（４）と左側面部（５）が接する部分には、各々、切り欠き部（１４）を底部（１０）の左右につけ、函体（Ａ）を全体的に折りたためるようにした。それに加えて、前面部（２）と背面部（３）の上部中心付近に穴（６）を設ける。
本発明は、以上の構成よりなるレジ袋用折りたたみ式ゴミ箱スタンドである。
【発明の効果】
【０００５】    本発明を使用することによって、レジ袋をゴミ袋として再利用できるので、レジ袋が無駄にならない。しかも簡単に着脱できるので煩わしくない。それに殆んどゴミに触れないで処理できるので清潔である。また横からゴミ袋の中身が見えないので美観上の問題も解決できる。
【発明を実施するための最良の形態】
【０００６】  以下  本発明の実施と形態を図１、図２について説明する。
（イ）  本発明はダンボール紙又は、プラスチック板材からなり、上面に長方形の開口部（１）を有する函体（Ａ）の右側面部（４）と左側面部（５）の両上部にレジ袋（１１）の持ち手部分（１２）を掛ける半円形の耳部（７）をそれぞれ設ける。
（ロ）  右側面部（４）と左側面部（５）の両側面の中心線に沿って、縦長の谷折り状態の側面折り部（８）（８）を設ける。
（ハ）  底部（１０）に横方向の山折り状態の底折り部（９）を設ける。
（二）  函体（Ａ）が折りたたまれたときに底部（１０）が両側面部にぶつからないように、右側面部（４）と左側面部（５）が接する部分には、切り欠き部（１４）（１４）を底部（１０）の左右に設ける。
（ホ）  スムーズに函体（Ａ）を折りたためるようにしたので、レジ袋（１１）の装着が容易になり、函体（Ａ）を押し広げるだけで瞬時にレジ袋（１１）がゴミ箱になる。それに加えて、ペロ（１３）が開口部（１）の邪魔にならないように前面部（２）、背面部（３）の上部中心付近にレジ袋（１１）のベロを差し込める穴（６）を設ける。
以下、本発明の使用状態を図３、図４について説明する。
（イ）  本体をやや、たたみ加減にして、前面部（２）と背面部（３）との間にレジ袋（１１）の底を内側から手で押し込む。それから持ち手部分（１２）を耳部（７）にかける。耳部（７）は、折りたためるので持ち手部分（１２）が掛けやすく容易に装着できる。
（ロ）  両側の耳部（７）に持ち手部分（１２）を掛けて、右側面部（４）と左側面部（５）のそれぞれ谷折りになっている側面折り部（８）を両手で、内側から外側に押し広げれば開口部（１）は長方形になり、同時にレジ袋（１１）の口が広がり瞬時にゴミ箱が完成する。
（ハ）  ベロ（１３）がついているレジ袋（１１）の場合は、前面部（２）と背面部（３）にそれぞれあけた２ヶ所の穴（６）にベロ（１３）を差込み、ゴミを入れる際に邪魔にならないようにする。
（二）ゴミが一杯になったら、ベロ（１３）を前面部（２）と背面部（３）の穴（６）から取り出して結ぶ。それからレジ袋（１１）の両方の持ち手部分（１２）を、耳部（７）から、はずして結ぶ。それをそのまま上に引き出せば、手を汚すことなく簡単にゴミ袋を取り出せる。
（ホ）  レジ袋（１１）のサイズは数種類あるが、両方の耳部（７）にレジ袋（１１）の持ち手部分（１２）が掛かれば、対応が可能。また、使用しない時、本体はコンパクトに折りたためて、平板にできるので、収納する時や運搬の際に便利。
本発明は、以上の構成よりなるレジ袋用折りたたみ式ゴミ箱スタンドである。
【図面の簡単な説明】
【０００７】
【図１】本発明の斜視図
【図２】本発明の折りたたんだ状態の斜視図
【図３】本発明の使用状態を示す斜視図
【図４】本発明の使用状態を示す斜視図
【符号の説明】
【０００８】１    開口部
２    前面部
３    背面部
４    右側面部
５    左側面部
６    穴
７    耳部
８    側面折り部
９    底折り部
１０  底部
１１  レジ袋
１２  持ち手部分
１３  ベロ
１４  切り欠き部
【図１】
2005047707.tif 000003
【図２】
2005047707.tif 000004
【図３】
2005047707.tif 000005
【図４】
2005047707.tif 000006
(57)【要約】【課題】      近年健康食品ブームにより玄米食や発芽玄米粥、豆ご飯などバリエーションに富んだご飯類が普及しつつあるが、健康食品は炊飯に著しく時間を要したり、かたくて食べづらい。玄米にあっては、圧力釜が必要で、その使用方法もむずかしい。【解決手段】  密閉可能な収納部材１に適量の一種又は二種以上の穀物と水とを入れたのち、上記の収納部材を密閉し、次いで上記の密閉収納部材を１００〜１３０℃で５分〜１０分加熱したのち、上記加熱処理ずみ密閉収納部材を保温器に入れて６０分〜１２０分保温したことを特徴とする穀物食品の製造方法を採用する。【選択図】    図１
2005245309.tif 000002
【特許請求の範囲】
【請求項１】
密閉可能な収納部材に適量の一種又は二種以上の穀物と水とを入れたのち、上記の収納部材を密閉し、次いで上記の密閉収納部材を１００〜１３０℃で５分〜１０分加熱したのち、上記加熱処理ずみ密閉収納部材を保温器に入れて６０分〜１２０分保温したことを特徴とする穀物食品の製造方法。
【発明の詳細な説明】
【技術分野】
【０００１】
この発明は、米、麦、あわ、きび及び豆類などの一種又は二種以上を用いたご飯や粥（穀物食品）の製造方法に関する。
【背景技術】
【０００２】
近年健康食品ブームにより玄米食や発芽玄米粥、豆ご飯などバリエーションに富んだご飯類が普及しつつある。（例えば、特許文献１参照）  
【０００３】
【特許文献１】特開平５−６８４９３号公報（第２頁、図１、図２）
【発明の開示】
【発明が解決しようとする課題】
【０００４】
ご飯にあっては、市販の炊飯器を用いて炊くことができる。
【０００５】
ところが、それら健康食品は炊飯に著しく時間を要したり、かたくて食べづらい。
【０００６】
玄米にあっては、圧力釜が必要で、その使用方法もむずかしい。
【０００７】
豆ご飯にあっては、前日から豆を水につけておかなくてはならない。
【０００８】
そして、食したいときにただちに食することができない。
【０００９】
特に、各種健康の増進する発芽玄米を用いた粥にあっては、食べたとき口内に硬い表皮や発芽が残って食べづらい問題が（老人や幼児にあっては、顕著で）あった。
【００１０】
また、のみ込んだ硬い（蒸れてない）表皮や発芽がそのまま排便されるので、発芽玄米特有の栄養を吸収されない問題があった。
【００１１】
上記の問題は、米にあわやきび及び豆類を混入した場合でも発生する。
【００１２】
そこで、この発明は、極めて容易に製造できて、特に良好に蒸らすことができるため、穀物に発芽玄米や、あわ、きび、豆類を用いても食べづらい問題をなくした穀物食品（ご飯や粥）の製造方法を提供することにある。
【課題を解決するための手段】
【００１３】
上記の課題を解決するために、この発明は、密閉可能な収納部材に適量の一種又は二種以上の穀物と水とを入れたのち、上記の収納部材を密閉し、次いで上記の密閉収納部材を１００〜１３０℃で５分〜１０分加熱したのち、上記加熱処理ずみ密閉収納部材を保温器に入れて６０分〜１２０分保温した方法を採用する。
【発明の効果】
【００１４】
以上のように、この発明の穀物食品の製造方法によれば、密閉可能な収納部材に適量の一種又は二種以上の穀物と水とを入れて、この収納部材を密閉し、次いで上記の密閉収納部材を１００〜１３０℃で５分〜１０分加熱したのち、保温器に加熱処理ずみ密閉収納部材を入れて６０分〜１２０分保温して蒸らすことで、食感や風味を損うことがなく穀物食品のご飯や粥が得られ、穀物が発芽玄米であっても上述の蒸らしによって食べたとき口内に表皮や胚芽（発芽）が残らない（排便されない）ため、栄養価の高い胚芽の吸収（摂取）によって人体に発芽玄米特有の効果を発揮させて健康増進に寄与する。
【００１５】
また、前段の加熱処理も短時間ですみ、熱源の不要な蒸らしのため、熱源の節約にもなる。
【００１６】
そして、密閉収納部材によって長期保存ができる。
【発明を実施するための最良の形態】
【００１７】
この発明の実施形態では、密閉可能な収納部材１に適量の一種又は二種以上の穀物２と水３とを入れる。
【００１８】
上記の収納部材１としては、例えば図１に示す合成樹脂成形品の器体を用いる以外に、図２に示すように合成樹脂フィルム製の袋体であってもよい。
【００１９】
上記の穀物２としては、米、麦、あわ及び豆類などがあり、米としては、白米以外に、例えば電気発芽器によって玄米を発芽させたものでもよい。
【００２０】
そして、例えば白米に発芽玄米を、また発芽玄米にあわや豆を適当な比率で混合する以外に、例えば白米や発芽玄米の単独であってもよい。
【００２１】
上記穀物２と水３との比率を下記の通りである。
【００２２】
ご飯の場合
米１合に対し、水１合以内（密閉収納のため水分が蒸発しない）。
発芽玄米の場合、水の使用量を若干減少する。
その要因は、発芽玄米に水分が含有しているため。
【００２３】
粥の場合
米１合に対し、例えば水４合。
【００２４】
次に収納部材１の開口を密閉する。
【００２５】
上記の密閉は、器体の場合、器体の開口を合成樹脂フィルム製の蓋体によって閉鎖し、器体と蓋体との重なり面を熱溶着によって密閉し、袋体の場合、袋体の開口縁を熱シールして密閉する。
【００２６】
その後に、１００℃〜１２０℃で５分〜１０分間密閉収納部材１を加熱する。
上記の加熱は、例えばオーブン用いて行なう。
【００２７】
しかして、加熱した密閉収納部材１を保温器に収納して、６０分〜１２０分保温しながら蒸らす。
上記の保温器としては、断熱性にすぐれた容器と蓋体とからなる。
【００２８】
食べる際は、袋体の場合収納部をそのままレンジで（２分〜３分）温め、食器に取り出して食する。
【００２９】
又は収納部材から取り出したご飯や粥をなべで温め、食器に移して食する。
【００３０】
なお、保存する場合は、冷暗所で保存をしておく。
【図面の簡単な説明】
【００３１】
【図１】収納部材を示す一部切欠正面図
【図２】他の収納部材を示す一部切欠正面図
【符号の説明】
【００３２】
１      収納部材
２      穀物
３      水
【図１】
2005245309.tif 000003
【図２】
2005245309.tif 000004
(57)【要約】      （修正有）【課題】食肉鶏肉の自動処理ライン設備に於ける作業者の重労働、長時間労働、作業者不足などの問題を解決し自動的に鶏供給のハンガーに鶏肉を掛ける、自動供給装置を提供する。【解決手段】生産者からコンテナボックスに入れられた鶏を仮死状態にして、画像にて鶏の状態を把握して自動的にロボット及び移載装置等で自動屠鶏ラインのハンガーコンベヤに吊り掛ける。【選択図】図１
2005245348.tif 000002
【特許請求の範囲】
【請求項１】
鶏生産農家より １０羽づつコンテナボックスに入れられた鶏を仮死状態にする装置。
【請求項２】
請求項１での仮死状態での鶏をコンテナより出し、画像処理で鶏の姿を検知して、その信号で他関節ロボットのチャックで鶏をつかみバケットコンベヤのバケットに、頭及び背の向きを一定に整列して置く。
【請求項３】
請求項２での 仮死状態の鶏を移載装置で自動屠鶏ラインのハンガーに掛ける装置。
【請求項４】
請求項１．２．３．による、一連の自動化システム。
【発明の詳細な説明】
【技術分野】
【０００１】
本自動化システムの発明は、食用鶏肉の自動屠鶏ラインで鶏を自動的に鶏供給部のハンガーに掛ける装置。
【背景技術】
【０００２】
従来の食用鶏肉の自動処理ラインでの鶏の供給は、生産者からのコンテナボックスに入れられた鶏を作業者が１羽づつ取り出してハンガーに吊り掛けていた。
【発明の開示】
【発明が解決しようとする課題】
【０００３】
請求項１．２．３．４の発明で、従来食用鶏肉の自動屠鶏ラインでは  ０．５秒に１羽づつ鶏の足をハンガーコンベヤに吊り掛けしなければならないラインの能力に合わせ様とすると、１２〜１３人の人が必要である。その人は１時間連続作業をしたら交替して休憩をしている。延人数にすると、２４〜２５人作業者が必要になる。また、作業上の環境として鶏をコンテナボックスから取り出す時、鶏がショックで暴れ羽毛・雑菌が空中に飛散・浮遊する。また、鶏のフンで異臭が漂う為作業者は、マスク・手袋・長靴・雨合羽（フード付）防塵ゴーグルの服装で作業を行っている。
重労働であるため、長時間労働が出来ない。作業者の確保が出来ない等々あります。
以上を解決できる。                              
【課題を解決するための手段】
【０００４】
前記目的を達成するためには、生産者からコンテナボックスに入れられた鶏を仮死状態にして、画像にて鶏の状態を把握して自動的にロボット及び移載装置等で自動屠鶏ラインのハンガーコンベヤに吊り掛ける。
「作用」
請求項１．２．３．４．の発明により重労働の作業者確保の解消。  
経費、人件費の削減。  例    １羽あたり  ３０円のコストダウンになる。
【発明を実施するための最良の形態】
【０００５】
以下に本発明システム図面に基づいて説明する。
図１は  請求項１〜４のシステムの図面である。
【０００６】
請求項１  鶏生産農家より１０羽づつコンテナボックスに入れられた鶏を仮死状態にする方法で、鶏の入った２  重ねコンテナボックス（４００Ｗ×６００Ｌ×２５０Ｈ）を８段に重ねて、  ２'実コンテナボックス置きレールに図の様に並べる。
４コンテナ切り出し装置で ３実コンテナ（８段）を  １実コンテナ搬送コンベヤに切り出して搬送する。５コンテナ段バラシ装置で ３実コンテナ（８段）を１段１ヶづつに分けて  ３'  実コンテナ（１段）が  ６コンテナ方向転換装置を通り  ７'  Ｎ２発生装置より送り込まれた  ７  Ｎ２ガス室内（約５ｍ、６０秒）を通過させると鶏がＮ２ガスに室内の酸欠で仮死状態になりバタバタと横になる。
但し、Ｎ２ガス室内の酸素濃度は酸素濃度計で計測して一定の濃度に保つように自動制御を行う。仮死状態になった鶏は  ８  Ｎ２ガス室出口コンベヤに出てくる。
【０００７】
請求項２  仮死状態の鶏をコンテナボックスより出し、画像処理にてバケットコンベヤのバケットに整列して置く。
前記  ８  Ｎ２ガス室出口コンベヤ上の仮死状態の鶏を  ９実コンテナ移載及びコンテナフタ開け装置で持ち上げ  １０仮死鶏置き台にコンテナボックスは  ６'  空コンテナ搬送コンベヤを載せて搬送する。１０仮死鶏置き台に置かれた仮死状態の鶏は、１３'  カメラで画像処理を行い信号を  １３他関節移載ロボットへ送り１羽づつ  １４バケットコンベヤの  １４'  バケットへ鶏の頭・背の向きを一定に整列して置く。
１４バケットコンベヤのバケットは、１ヶづつ送られて順次今の方法で仮死状態の鶏を置いていく。
図１では  １３多関節ロボットが１台になっているが生産タクトによっては、２台・３台と設置する事もある。
【０００８】
請求項３  仮死状態の鶏を吊り掛けロボットで、自動屠鶏ラインのハンガーに掛ける装置。
前記  １４バケットコンベヤの１４'  バケットコンベヤ上の仮死状態鶏を  １５吊り掛けロボット装置でチャックして  １６既設処理ラインのハンガーコンベヤの  １７ハンガーに鶏の両足を吊り掛ける。
図２が  １５吊り掛けロボットの詳細です。
２１鶏クランプでバケットの中の、仮死状態の鶏をクランプして２２鶏位置決め装置で位置決めをして２３吊り掛けロボットでハンガーに掛ける。
また、図１では  １５吊り掛けロボット装置が２台になっているが、生産タクトによっては  ３台４台と設置する事もある。
【図面の簡単な説明】
【０００９】
【図１】本発明の全体図でコンテナボックスの鶏を自動食肉鶏肉の屠鶏ラインのハンガーに全自動で吊り掛けするシステム図。
【図２】本発明の吊り掛けロボットの詳細図である。
【符号の説明】
【００１０】
１．実コンテナ搬送コンベヤ
２．重ねコンテナ
２'．実コンテナボックス置きレール
３． 実コンテナ（８段）
３'． 実コンテナ（１段）  
４．コンテナ切り出し
５．コンテナ段バラシ
６．コンテナ方向転換
６'．空コンテナ搬送コンベヤ
７．Ｎ２ガス室
７'．Ｎ２発生装置
８．Ｎ２ガス室出口コンベヤ
９．実コンテナ移載及びコンテナフタ開け装置
１０．仮死鶏置き台
１１．仮死鶏
１２．空コンテナ
１３．多関節ロボット
１３'．カメラ（画像処理用）
１４．バケットコンベヤ
１４'．  バケットコンベヤ上仮死鶏
１５．吊り掛けロボット装置
１６．既設処理ラインのハンガーコンベヤ
１７．ハンガー
１８．ハンガーに吊り掛かった鶏
２０．鶏移載装置
２１．鶏クランプ
２２．鶏位置決め装置
２３．吊り掛け用ロボット
【図１】
2005245348.tif 000003
【図２】
2005245348.tif 000004
(57)【要約】【課題】雌犬、雌猫等のペットを飼うことで、ペットが子を生み年間６５万匹が捨てられたり、保健所で殺されてます。処分する人間も良心の痛みに耐えております。避妊手術は獣医さんしか出来ませんし、高額で時間もかかり、しかも手術の主流は卵巣と子宮を摘出するという、ペットの母体に非常な負担をかけるものです。ペットの妊娠に対して、簡単に誰にでも対処出来、良心も痛まず、ペットに負担をかけない解決法を提供することである。【解決手段】ペットが毎日食べる食事の中に、動物避妊ピル入りのペットフードを必要量混入する。もしくは、栄養バランスの取れたペットフードに、あらかじめ必要量の避妊ピルが入ったペットフードだけを与える。【特許請求の範囲】
【請求項１】
ペット動物を妊娠しにくくする為、エストロゲン（卵胞ホルモン）を、含有することを特徴とするペットフード
【請求項２】
ペット動物を妊娠しにくくする為、黄体ホルモンを含有することを特徴とするペットフード
【請求項３】
エストロゲンと黄体ホルモンを配合することにより、ペットに対し１日当たり、体重１ｋｇ当たり０．１μｇ〜１μｇの低容量のエストロゲンを食べさせる事で、副作用を与えず避妊効果を持たせたペットフード
【発明の詳細な説明】
【技術分野】
【０００１】
本発明は、ペットの動物たちに負担をかけずに避妊をさせるものである。
【背景技術】
【０００２】
現在1800万匹のペットが日本に居ます。子供を生んで育てられず、保健所で殺処分されてる犬や猫が65万匹いますし、こっそり近所に捨てる人も多数あります。飼い主たちも生まれたからには嫌々ながらも捨てざるを得ません。不妊手術の主流は、卵巣と子宮を取り去るというペットに重い負担をかけ、費用も高額で1匹、１〜3万円もかかり、避妊手術する時間や、ペットの送り迎えの時間も必要です。その為気軽に行うわけにもいきません。病気の予防にはペットフードに混入させる方法が提案されてるが避妊薬は提案されてません
【特許文献１】特許公開２００３−３１９７５０
【特許文献２】特許公開２００１−３０９７５３
【非特許文献１】ピルの歴史と概要http://www.singlemother.co.jp/tearsdrops/tears-hinin/pill.html
【０００３】
しかし、人間にはピルという避妊薬で長い経験と、今では世界で１億人も女性が使っているという実績があります。ペットにも避妊ピルの恩恵を与えるべきだと信じます。
【発明の開示】
【発明が解決しようとする課題】
【０００４】
解決しようとする問題点は、犬で発情期が年に2回、猫で春から秋にかけて6回ほどあります。この時に妊娠させなければいい訳です。
【課題を解決するための手段】
【０００５】
本発明は、動物は妊娠してる時は次の妊娠が出来ないことを利用し、ペットを擬似妊娠状態にすることで、妊娠しない様に飼い主は、動物避妊ピルフードを食事として与える。
【発明の効果】
【０００６】
本発明の効果は、ペットの飼い主が、生まれたペットの子を、人に引き取ってもらったり、近所に捨てたり、殺処分を保健所に頼むという罪悪感を持たずに済むこと。
【発明を実施するための最良の形態】
【０００７】
ペットが毎日食べるペットフードに適量の避妊薬が存在することで、子供を生む心配をしなくて、気軽にペットと一緒の生活できる。
(57)【要約】【課題】  時間が経過しても、フライ食品に塗布したソースの形状がくっきりと残り、見た目にも美麗であり、そのまま包装袋や包装箱に入れてもソースがこれらに付着せず、風味を長期間維持することができ、工夫されたソース調味料をかけた，フライ食品の製造方法を開発・提供することにある。【解決手段】  惣菜、珍味品の揚げ物材料に、ソースを塗布する製造工程において、油で揚げる、あるいは、焼いたフライ食品（１）の品温を、４０℃程度に冷却し、これらフライ食品を製造ラインに、これらフライ食品が、重ならないように並列して並べる工程と、これらフライ食品に、ソース調味材（２）を、線状または、帯状に塗布するに際して、調味材の全体量に対して、ゲル化剤を０．５〜１０％を加え、加熱・攪拌し、液温８０℃〜１００℃した後、液温６０℃以下に冷却して用いて、塗布する工程からなることを特徴とするフライ食品の製造方法から構成される。【選択図】        図１
2005245386.tif 000002
【特許請求の範囲】
【請求項１】
惣菜、珍味品の揚げ物材料に、ソースを塗布する製造工程において、揚げ物材料を油で揚げる、あるいは、焼いたフライ食品の品温を、４０℃程度に冷却し、これらフライ食品を製造ラインに、これらフライ食品どうしが、重ならないように並列して並べる工程と、これらフライ食品に、ソース等の調味材を、線状または、帯状に塗布するに際して、調味材を全体量に対して、ゲル化剤を０．５〜１０％を加え、加熱・攪拌し、液温８０℃〜１００℃した後、液温６０℃以下に冷却して用いて、塗布する工程からなることを特徴とするフライ食品の製造方法。
【請求項２】
ゲル化剤が、寒天、ゼラチン、増粘多糖類から選ばれたものであることを特徴とする特許請求の範囲第１項記載のフライ食品の製造方法。
【発明の詳細な説明】
【技術分野】
【０００１】
この発明は、調味料をかけたフライ食品の製造方法に関するものである。
【背景技術】
【０００２】
従来、惣菜品や珍味のなかで、『カツフライ』等のように食材に、粉や卵を溶いたバッター生地と呼ばれるころもを付け、これにパン粉をまぶして、油で揚げたり、焼いたりして調理されたフライ食品が製造販売されている。
【０００３】
そして、このフライ食品には、その表面に、『とんかつソース』と呼ばれる，どろーとしたソースを、細く線状、あるいは、帯状に塗布して製造・販売されている。
【０００４】
これは、ソースを、フライ食品に塗布しなくても、そのまま食べることができ、始めから、フライ食品にソースが塗布されているため、別途、ソースを持ち歩く必要がなく、大変、便利であり、また、ソースの入った小袋を開き、フライ食品に塗布する手間が省け、また、手が汚れる心配もなく、便利である。
【０００５】
しかし、従来品では、予め、フライ食品に塗布すると、出来上がり時には、ソースの色・形状がはっきりしているが、時間が経過すると共に、ソースがフライ食品の表面生地に滲み込んでしまい、見た目にもくっきりせず、また、食した場合にも、風味も落ちるという欠点があった。
【発明の開示】
【発明が解決しようとする課題】
【０００６】
そこで、この発明は、従来の製造方法を改良することにより、時間が経過しても、フライ食品に塗布したソースの形状がくっきりと残り、見た目にも美麗であり、そのまま包装袋や包装箱に入れてもソースがこれらに付着せず、風味を長期間維持することができ、工夫されたソース調味料をかけた、フライ食品の製造方法を開発・提供することにある。
【課題を解決するための手段】
【０００７】
この発明は、フライ食品の製造工程中に、フライ食品の品温を所定の温度に維持するとともに、フライ食品を整列して配置し、一方、ソースにゲル化剤を配合して入れることにより、ソース調味材とし、このソース調味材をフライ食品の表面に塗布しても、ゲル化剤の特性である、凝固性を利用して、くっきりと塗布した状態を保つようにするものである。
【発明の効果】
【０００８】
この発明によると、油で揚げたり、焼いたりし、キツネ色に揚がったフライ食品に、特殊なソース調味材を、線状、格子状、あるいは帯状に塗布することにより、揚げ色とソース調味材の色彩のコントラストが見事であり、見た目に、体裁がよく、食欲もそそる効果を有する。
【０００９】
また、ソース調味材に添加・調合するゲル化剤の特性により、４５℃程度から徐々に凝固し始め、凝固すると触れてもくっ着かなくなり、フライ食品にしみ込むことがなく、見た目に体裁がよく、さらに、包装紙や包装箱にソース調味材が付着することがない。
【００１０】
そして、フライ食品が、重ならないよう整列して設けることにより、ソース調味材が各フライ食品に均等に塗布することができる。
【００１１】
また、フライ食品の品温を冷却することにより、表面に塗布するソース調味材を短時間で凝固させることができる。
【００１２】
さらに、ソース調味材が凝固することにより、酸化作用が緩慢になり、風味の劣化が抑えられ、長期間にわたって維持できる等極めて有益なる効果を奏する。
【発明を実施するための最良の形態】
【００１３】
この発明の一実施例を図面に従って詳述すると、惣菜、珍味品の揚げ物材料に、ソースを塗布する製造工程において、油で揚げる、あるいは、焼いたフライ食品（１）の品温を、４０℃程度に冷却し、これらフライ食品を製造ラインに、これらフライ食品が、重ならないように並列して並べる工程と、これらフライ食品に、ソース調味材（２）を、線状または、帯状に塗布するに際して、調味材の全体量に対して、ゲル化剤を０．５〜１０％を加え、加熱・攪拌し、液温８０℃〜１００℃した後、液温６０℃以下に冷却して用いて、塗布する工程からなることを特徴とするフライ食品の製造方法から構成される。
【００１４】
尚、この発明の揚げ物材料とは、惣菜品や、珍味品といわれる酒の肴等をいい、肉類、魚介類、野菜類の単体、あるいはこれらの素材を結合したものであり、これらを油で揚げたり、油で焼いたりした食品のすべてをいい、図面においては、短冊型のものを示したが、その形状は、特に限定されない。
【００１５】
さらに、この発明に使用するソース調味材に使用するゲル化剤は、寒天、ゼラチン、増粘多糖類から選ばれたものである。
そして、寒天は４５℃程度で、ゼラチンは３０℃程度で、そして増粘多糖類は３０℃程度で凝固するものである。
【産業上の利用可能性】
【００１６】
この発明は、フライ食品にソース調味材を塗布する製造技術を確立し、かつ、食材を使用に寄与する点で、産業上の利用可能性を有する。
【図面の簡単な説明】
【００１７】
【図１】この発明の製造工程を示す説明図である。
【図２】この発明により製造されたフライ食品の一実施例を示す斜視図である。
【図３】この発明により製造されたフライ食品の他の実施例を示す斜視図である。
【図４】この発明により製造されたフライ食品の、さらに他の実施例を示す斜視図である。
【図５】この発明により製造されたフライ食品の、さらに他の実施例を示す斜視図である。
【符号の説明】
【００１８】
１  フライ食品
２  ソース調味材
【図１】
2005245386.tif 000003
【図２】
2005245386.tif 000004
【図３】
2005245386.tif 000005
【図４】
2005245386.tif 000006
【図５】
2005245386.tif 000007
(57)【要約】【課題】入浴中、主に腰・背中の筋が無理な緊張することの無いように、また腰痛が入浴で悪化しないように体幹部や身体の必要部分を浮力のある部材を使って構成する物で浮かせることで、快適に入浴できるようにするための物を提供する。【解決手段】浮力のある素材を用い作製した構造物を、湯船に浮かべ入浴中に湯中で仰臥位になり浮力を使い、腰背部の各筋を重点的にストレッチさせると共に身体各所を伸展させストレッチ効果を発揮させ、浮力によりリラックス効果もあるため快適に入浴することが出来る。【選択図】  図２
2005245929.tif 000002
【特許請求の範囲】
【請求項１】
浮力のある素材を用いた形成物で入浴中に体幹部を重点的にしながら、全身の必要各部を浮力で浮き上がらせ、浮き上がったことにより脊椎及び各関節を伸展させ、各関節に付着する屈筋を伸展させることが出来る。
【発明の詳細な説明】
【技術分野】
【０００１】
本発明は、入浴中に人体にストレッチ効果を与え腰痛などの関節症状を予防・改善し、健康な状態を目指す物である。
【０００２】
入浴中に作用している、姿勢保持のための筋肉収縮を軽減し、脊椎及び股関節を屈曲させる筋肉を入浴中に伸展させ、また、腰部を中心として上半身を右回旋・下半身を左回旋又は上半身を左回旋・下半身を右回旋させることも可能であり、背部・腰部・股関節部・大腿部の筋肉の起始と停止部の間を伸ばし筋肉自体を反収縮させる。
【０００３】
一般的な家庭での入浴姿勢は、湯船の底面に臀部を付け、背を丸くし湯船背部面に背を付け股関節軽度屈曲・膝関節９０度前後の姿勢を固定し、水の浮力の中で常に身体を固定するため頚部の筋を含め背部・腰部・股関節・大腿部・下腿部の各筋肉が等尺性収縮状態にある。加えて体幹の姿勢維持のために肩甲帯周囲および上肢の作用を働かせるため、上肢の筋肉も等尺性収縮を行う。このように浮力の加わる水中では姿勢維持のために筋収縮が行われており、温熱の効果により楽になった感じはするが、筋自体は自覚のない疲労を起こしている場合が多い。また、腰痛を発症している場合は、上記の筋疲労の発生により、より一層症状が悪化することが非常に多い。
【０００４】
この問題を解決するには、入浴時に体幹および股関節を伸展さればよい。その方法として、浮力を有する素材にて頸椎部・胸椎部・腰椎部を浮かび上がらせ大腿部を水中に沈めるようにすればよい。頸椎は立位姿勢時と同等になるようにする。胸椎部は第７胸椎部に浮力の頂点がくるようし、腰椎部は立位姿勢時の前湾と同程度の角度を持たせ、股関節の伸展は基本立位姿勢より５度から１０度を目安とし角度を付けるように部材を構成する。
【特許文献１】特開２００３−１８０５４０号公報
【発明の開示】
【発明が解決しようとする課題】
【０００５】
解決しようとする課題は、坐位等の腰背部に負担の掛かる入浴姿勢を変化させ入浴で起こる等尺性収縮によりおこる筋疲労である。
【課題を解決するための手段】
【０００６】
本発明は発泡ポリウレタンなどの浮力のある部材で構成される物を湯船の上に浮かべ、筋疲労を起こす各部に適合するよう配置された部材に身体を寝そべるようにする。
【発明の効果】
【０００７】
本発明品を使い入浴すると身体各部の筋は、姿勢維持に筋力を使う必要が無くなり、筋は不必要な等尺性収縮を行わずにすみ適度なストレッチ効果と共に、リラッククス効果が発揮される。
【発明を実施するための最良の形態】
【０００８】
浮力を強くし、浮力の及ぶ範囲を広くすると、腰部を中心として上半身を右回旋・下半身を左回旋又は上半身を左回旋・下半身を右回旋させることも可能である。上半身部の浮力の及ぶ範囲を体幹部より広くし、体幹部より外側に浮力を強くするようにし、安定性を強くする。下半身部分は、股関節・膝関節を屈曲し右又は左へたおす事により腰部を回旋させる。よって下半身部分も浮力を強くし、浮力の及ぶ範囲幅を８０センチ以上にする。
【０００９】
形状は縦に２本の強い浮力を持つ物を配置し、この２本の間隔は３０センチ以上とし、それぞれを６０センチ以上の１本のまま、又は１０センチ以上の個別のものを並べる。これにより水中での体幹の安定性を発揮する。それぞれを円柱形・円錐形・四角柱形・三角柱形などの柱状で構成可能である。また、個別の球形をならべて繋ぐことも可能である。
上記の２本の間に、体幹部を伸展させるための、浮力を持つ柱形状のものを必要な部分に配置する。体幹部に浮力を加える部分の形状は網目状でも可能であり浮力を有する素材を用いる場合、又はこの部分にのみ浮力を有しない素材を用いる場合でも可能である。
体幹部に浮力を発揮するものの形状としては、浮力を持つ板状の物や、凹凸を付けた一体形成した物でも可能である。
【実施例１】
【００１０】
図１は、本発明の入浴中姿勢の断面図である。図１は図２を使った場合の入浴姿勢であり図２の構造は、体幹部及び下肢の外側部に身体を安定させるための浮力の大きな部材を接地連結する。頭部は湯船の縁に乗せ、頚部の前湾部・胸部背面・腰椎前湾部に浮力の大きい素材を用い体側部の部材に連結する。これにより湯中において身体を安定されつつ、背部・腰部の屈曲筋を適切に伸展させることが出来る。また下半身部は浮力の小さな部材で作製されているため安定している状態で、湯中に在るため身体が冷えることはない。
【実施例２】
【００１１】
図３は、部材を縦に配した場合の物である。この場合は、脊柱部に浮力の大きな部材を使うため、部材のない腰仙関節部の前湾が大きくなり、下半身は湯中に没する。
【実施例３】
【００１２】
部材の体表面に触れる部分に凹凸を付け、東洋医学的で用いられる人体のツボの部分に当たるようにすると、指圧の効果を与えることも出来る。
【実施例４】
【００１３】
浮力を持つ部材の表面あるいは部材を木製にすることや竹製にすることにより耐久性と自然との一体感を感じることも出来る。
【産業上の利用可能性】
【００１４】
腰痛を常時発生している方や、腰背部に鈍重感を有する方が、入浴する場合、入浴中又は入浴後すぐは温熱効果で快適になる感じがするが、その後症状が発生することが非常に多い。その原因の一つである座位姿勢での入浴をある程度浮いた状態でなおかつ、ストレッチをしながら入浴できることにより、症状の発生をおさえる効果を持つ。
【図面の簡単な説明】
【００１５】
【図１】本発明品を利用した入浴時の部材の位置を示し、入浴姿勢を表した物である。
【図２】部材を脊椎に対し直角に配置する構造の１例である。
【図３】部材を脊椎に対し平衡に配置する構造の１例である。
【図４】体幹浮力部分を網目状の構造で構成する１例である。
【符号の説明】
【００１６】
１  安定性を確保する浮力のある部材
２  身体を浮かべストレッチ効果を出す浮力のある部材
３  １と２を連結する部材であり浮力のある物でも無いものでも可能
４  安定性確保部材を連結する部材であり浮力のある物でも無いものでも可能。
５  頭部を湯船の縁に安定させる部材であり浮力のある物でも無いものでも可能
【図１】
2005245929.tif 000003
【図２】
2005245929.tif 000004
【図３】
2005245929.tif 000005
【図４】
2005245929.tif 000006
(57)【要約】【目的】空気袋本体と空気袋補助が一体として繋がった空気袋に安全のための握り棒を上下に設けたお風呂入浴補助具を提供する。【構成】空気袋本体（１）と空気袋補助（２）を一体の物とする中心枝部（５）から握り棒上（６）と握り棒下（７）を支え枠（９）の三方で一体の枝とする。この一体の枝上に空気袋を取り付けたことから成るお風呂入浴補助具。【選択図】図１
2005245986.tif 000002
【特許請求の範囲】
【請求項１】
空気袋本体（１）と空気袋補助（２）を一体の物として設ける、中心枝部（５）から握り棒上（６）と握り棒下（７）と支え枠（９）の三方で一体の枝とする。
この一体の枝上に空気袋を取り付けたお風呂入浴補助具。
【発明の詳細な説明】
【発明の詳細な説明】
【技術分野】
【０００１】この発明はお風呂の入浴中の思わぬ事故防止と安心のくつろぎのための入浴補助具に関した物である。
【背景技術】
【０００２】お風呂も最近はカーブを持った浴槽が増えてきている。
【発明の解決しようとする課題】
【０００３】浴槽によっては滑り込みやすく高齢者や障害者は特に注意を要する。
【課題を解決するための手段】
【０００４】空気袋本体（１）と空気袋補助（２）を一体の物として設ける。中芯枝部（５）から握り棒上（６）と握り棒下（７）と支え枠（９）の三方を一体の枝としこの両方を組み合わせて補助具とする。
【発明の実施の状態】
【０００５】入浴補助具を湯船に浮かべる時空気袋本体（１）と空気袋補助（２）は湯船に浮き握り棒上（６）は湯船よりやや上に上がり握り棒下（７）はその真下のお湯の中にある。
【発明の実施例】
【０００６】入浴時に握り棒上（６）か握り棒下（７）を両手で握り入浴する。
【発明の効果】
【０００７】空気袋本体（１）と空気袋補助（２）の浮力により握り棒上（６）か握り棒下（７）を両手で掴んでいれば仮に滑っても顔まで沈むことを防ぎ又、匂い袋（１０）にハーブなどの香りを入れておくとリラックスでき効果的である。
【図面の簡単な説明】〔図１〕
本発明の斜面図
〔図２〕
本発明の分解図
【符号の説明】
１，  空気袋本体
２，  空気袋補助
３，  空気入れチューブ
４，  固定ひも
５，  中芯枝部
６，  握り棒上
７，  握り棒下
８，  握り棒枝
９，  支え枠
１０，匂い袋
１１，止めひも
【図１】
2005245986.tif 000003
【図２】
2005245986.tif 000004
(57)【要約】      （修正有）【課題】従来、化粧水や皮膚に浸透させる塗り薬などは、手動で肌に叩き浸透させていた。また、超音波器具などの器具はあったが、安価で手軽に時間と労力をかけずに、効果的に使用するための電動器具を提供する。【解決手段】肌に浸透させる手段として、擦り込むもしくは拍打する。そのコントロールのために、直接肌を叩くのでなく、薬液を浸したコットン１を、本体表面に取り付けた軟性プラスチック２に張り付け、軟性プラスチックの裏面から、振動子５により電動で連続して叩くことにより、振動の伝播により、肌に接触させたコットンの薬液が皮膚にしみ込むという効果を得られるようにした。軟性プラスチックを介在させることにより、直接皮膚を叩かず、叩く力のコントロールが容易になった。また、電動で反復運動することにより、効果の向上と時間の短縮が得られた。【選択図】    図２
2005245989.tif 000002
【特許請求の範囲】
【請求項１】
表面に化粧品を貼り付けるための軟性プラスチックを取り付けた本体に、本体内部から軟性プラスチックを拍打するための振動子とその動力源となるモーターを本体内部に設置し、内部から軟性プラスチックを連続して叩くことにより、直接皮膚を叩くことなく、化粧品を肌に浸透させる物。
【請求項２】
請求項１同様の物を、形状に係らず軟性プラスチックに代わる物で行うこと。
【発明の詳細な説明】
【技術分野】
【０００１】本発明は、化粧水など薬液の肌への浸透を促すために、連続して拍打することにより、時間と労力の削減、効果の向上を目的としたものである。
【背景技術】
【０００２】従来は、手動による方法で薬品を浸透させる方法、また、超音波器具などによる方法はあったが、振動子を使い、電動で拍打する方法はなかった。
特許文献は認識していない。
【発明の開示】
【発明が解決しようとする課題】
【０００３】化粧品や薬液によっては、使用方法に数十回〜１００回程度の肌への拍打などと記載されており、美容と健康増進に対して時間と労力が必要であった。
本発明はこの課題を解消するためになされたものである。
【課題を解決するための手段】
【０００４】コットンに薬液を含ませた薬液１を、軟性プラスチック２の表面にとりつけ、皮膚に接触させた薬液１の部分を、軟性プラスチック２の裏面を電動モーターの動力により前後に動く振動子にて反復拍打させることにより、薬液１が皮膚表面に浸透されるようにした。また、表面の薬液は取替えが出来るように軟性プラスチックに切れ目を入れ、切れ目にコットンを挟むことによりコットンを固定した。
【発明の効果】
【０００５】肌を直接叩くのではなく、太鼓のような構造にして、その内面を反復運動によって連続して拍打することにより、肌への刺激低下が得られた。【０００６】電動モーターを使用した振動子により連続して叩くので、作業時間の短縮と薬液の浸透能率の向上が得られた。
【発明を実施するための最良の形態】
【０００７】以下、本発明の実施の形態を図１〜図２に基づいて説明する。【０００８】図１において、動力となるモーター６のスイッチを備えたグリップ本体３と、本体上部前面に軟性プラスチック２を設置する。【０００９】軟性プラスチック２の表面に４箇所切れ目８を入れ、化粧水を浸したコットン１を４箇所の切れ目に挟み込み表面に固定する。【００１０】図２において、グリップ本体内部に設置した動力となるモーター６が回転することにより、振動子５が左右に振り子状の振復運動をし、振動子の先端が本体内部より軟性プラスチック２を拍打することができる。【００１１】軟性プラスチック表面に取り付けたコットン１を皮膚に接触させることにより、化粧水を効果的に皮膚の内部に浸透させることが出来る。
【図面の簡単な説明】
【００１２】
【図１】本発明の正面図
【図２】本発明の使用状態を示す断面図
【符号の説明】
【００１３】１  薬液を浸したコットン
２  軟性プラスチック
３  グリップ本体
４  スイッチ
５  振動子
６  動力
７  電池
８  切れ込み
【図１】
2005245989.tif 000003
【図２】
2005245989.tif 000004
(57)【要約】【課題】  天然炭酸温線に代わる人口炭酸泉を作る為に過飽和炭酸水を製造する装置や高気圧炭酸ボンベから浴槽へガスを流して炭酸泉を作っている現状である。  しかし、過飽和炭酸水を作る装置は高価であり、また電力供給の必要が不可欠である。加えて入浴できる温度まで加熱すると過飽和炭酸水から気泡となって炭酸ガスが逃げ出してしまい高濃度の炭酸ガス含有量を保てなくなる。。  高気圧炭酸ガスボンベを使用した場合、ボンベの保管場所が必要になり、加えて減圧弁、ストップバルブ等の付属品が必要になる。【解決手段】  炭酸ガスの供給源としてドライアイスを用いる事により、安価な炭酸水の供給が可能になる。また高気圧ボンベ、減圧弁、ストップバルブ等の付属品が不必要になることから各家庭への炭酸温泉効果を供給できる。  ドライアイスが昇華するときの圧力が、ドライアイスを保持している空間から浴槽へ炭酸ガスを供給する事になるので、電力の供給を必要としない。【選択図】「図１」
2005245990.tif 000002
【特許請求の範囲】
【請求項１】
ドライアイスを用いて炭酸ガスを発生させ、炭酸風呂に関する医療器及び健康器
【請求項２】
ドライアイスを用いて炭酸ガスを発生させ、炭酸ガスの気泡を用いる炭酸フットバスに関する医療器及び健康器
【請求項３】
ドライアイスを用いて炭酸ガスを発生さ、炭酸ガスの気泡を用いる炭酸洗顔機に関する医療器及び健康器
【発明の詳細な説明】
【技術分野】
【０００１】炭酸泉の効用を得る為のドライアイスを用いた医療及び健康器
【背景技術】
【０００２】現在炭酸泉として知られる健康温泉等が健康に良いとされている。この炭酸泉は、人体の毛細血管の拡張を図り、血流の流れをスムーズにすることから高血圧、膠原病等の血液系の疾患に効果的な改善が示されている。
【発明の開示】
【発明が解決しようとする課題】
【０００３】  現在、天然炭酸温線に代わる人口炭酸泉を作る為に過飽和炭酸水を製造する装置や高気圧炭酸ボンベから浴槽へガスを流して炭酸泉を作っている現状である。
しかし、過飽和炭酸水を作る装置は高価であり、また電力供給の必要が不可欠である。加えて入浴できる温度まで過熱すると過飽和炭酸水から気泡として炭酸ガスが逃げ出してしまう。
高気圧炭酸ガスボンベを使用した場合、ボンベの保管場所が必要になり、加えて減圧弁、ストップバルブ等の付属品が必要になる。
【課題を解決するための手段】
【０００４】  炭酸ガスの供給源としてドライアイスを用いる事により、安価な炭酸水の供給が可能になる。また高気圧ボンベ、減圧弁、ストップバルブ等の付属品が不必要になることから各家庭への炭酸温泉効果を供給できる。
ドライアイスが昇華するときの圧力が、ドライアイスを保持している空間から必要とする浴槽へ炭酸ガスを供給する事になるので、電力の供給を必要としない。
【発明の効果】
【０００５】今回の発明により、各家庭で安価に、また施設、多くの付属品を準備する事無く、炭酸泉の健康に関する効果を感受する事が可能となる。
【発明を実施するための最良の形態】
【０００６】ドライアイスの炭酸ガスを用いて、ドライアイスが昇華する時に発生する圧力により浴槽へ自動的にガスを供給することにより、炭酸泉の持つ効能を実現する。
【実施例】
【０００７】▲１▼バスタブに入れられた湯の底に▲２▼バブル発生ノズル固定台に取り付けられた▲３▼バブル発生ノズルから細かな炭酸ガスの気泡が体全体を包み込むように設定する。▲３▼バブル発生ノズルは、▲４▼ガスチューブを介して▲５▼炭酸ガス発生タンクへ繋がれる。
▲５▼炭酸ガス発生タンクの中には、▲６▼ドライアイスとドライアイス昇華用の▲７▼水或いはお湯を入れることにより▲５▼炭酸ガス発生タンク内部が加圧状態になる。この▲５▼炭酸ガス発生タンクの加圧状態により炭酸ガスが、▲３▼バブル発生ノズルより自動的に供給される事になる。
【産業上の利用可能性】
【０００８】  炭酸泉の効能を各家庭に供給できる事により、老齢化の進む日本に於いては、健康で安らかな生活を実規できる環境を提供する事が可能になる。
【図面の簡単な説明】
【０００９】
【図１】ドライアイスを用いての炭酸泉医療器及び健康機
【符号の説明】
▲１▼  バスタブ
▲２▼  バブル発生ノズル固定台
▲３▼  バブル発生ノズル
▲４▼  ガスチューブ
▲５▼  炭酸ガス発生タンク
▲６▼  ドライアイス
▲７▼  水
【図１】
2005245990.tif 000003
(57)【要約】【課題】本発明は、医療従事者がプレフィールドシリンジや大容量のシリンジを使用するとき、工業的にコーキング剤や接着剤を塗布するとき、力を必要とせずに液体を吐出、吸引することができるものである。  また、有る程度時間をかけてゆっくりと注入する場合や大容量サイズのシリンジを使用した薬液投与などはかなり疲れる。さらに余りにも摺動抵抗が高い場合は、シリンジへ装着して薬液を注入することができるものである。【解決手段】本体（２）にハンドル（１）、液体筒固定ツメ（３）、ヘッド（４）、ヘッド回転ツマミ（５）と中心筒（６）を設ける。【選択図】図１
2005245999.tif 000002
【特許請求の範囲】
【請求項１】
（イ）本体２に中心筒６を設ける。
（ロ）中心筒６にギヤＤ１０を設ける。
（ハ）本体２にギヤＡ７、ギヤＢ８、ギヤＣ９を設ける。
（ニ）本体２にハンドル１を設ける。
（ホ）本体２に液体筒固定ツメ３を設ける。
（ヘ）中心筒６にヘッド４を設ける。
（ト）本体２にヘッド回転ツマミ５を設ける。
以上の如く構成された、手動式液体注入器。
【発明の詳細な説明】
【技術分野】
【０００１】  本発明は、医療従事者がプレフィールドシリンジや大容量のシリンジを使用するとき、工業的にコーキング剤や接着剤を塗布するとき、力を必要とせずに液体を吐出、吸引することができるものである。
また、有る程度時間をかけてゆっくりと注入する場合や大容量サイズのシリンジを使用した薬液投与などはかなり疲れる。さらに余りにも摺動抵抗が高い場合は、シリンジへ装着して薬液を注入することができるものである。
【背景技術】
【０００２】  医薬品業界においては、薬液の充填容器自体が注入器になるプレフィールドシリンジ化が進んできている。従来は、アンプル瓶やガラス瓶に入った薬液を注射器で取り出して、他の薬剤と混合するとか直接人体へ投与していた。これらの場合は、薬液を取り出すためにシリンジを使用していたが、薬液容器自体が注射器になるならば無駄が省ける。また、薬剤の移し替え時に細菌等に汚染される確率も低くできる。また、容器に薬剤名が記されているため、投与前に再度薬剤名の確認もできるため誤投与リスクも低くなる。
プレフィールドシリンジは、薬液をガラス筒やプラスチック筒に入れてガスケットで封印されているが、このガスケット部に外付けピストンを接続して注入するものである。筒の反対側は、注射針や注入ラインが接続できる形状のため、もっとも無駄が少なく感染のリスクも低いため今後は増えて行くと思われる。しかし、ガスケットが封印を兼ねているため注入行為時の摺動抵抗が高くなってしまう。プレフィールドシリンジサイズが大きくなると、かなり高い摺動抵抗となり看護師さんに負担を強いる。また、有る程度時間をかけてゆっくりと注入する場合などはかなり疲れる。さらに余りにも摺動抵抗が高い場合は、シリンジポンプへ装着して薬液を注入するなどで対応している。
静脈へ投与する薬剤は、注入回路が静脈へ入っていることを確認するために吸引して血液を確認することで行われている。プレフィールドシリンジにも静脈へ投与する薬液もあるが、サイズが大きくて摺動抵抗が高いプレフィールドシリンジで血液を引き、静脈穿刺を確認することは大変であるため、一般のディスポザーブルシリンジへ移し替えて投与することもあり、せっかくの利点が１００％生かされていない。
建築業界において、防水コーキング剤注入や接着剤塗布のためにコーキングガンがよく使用されている。これは、コーキング剤や接着剤の容器と注入ケースを兼ねるので便利である。一般的に使用するコーキング剤や接着剤は、粘度が高いため大口径の容器を押し出すにはかなりの力が必要であるため、コーキングガンを使っている。ただ、コーキングガンは一方向の押し出しのみの機能であるため、注入後に残圧が残り易く液垂れがおきやすく、垂れた分を先端から拭い取るなどの手間がかかる。
【発明の開示】
【発明が解決しようとする課題】
【０００３】  本発明は、医療従事者がプレフィールドシリンジや大容量のシリンジを使用するとき、工業的にコーキング剤や接着剤を塗布するとき、力を必要とせずに液体を吐出、吸引することができるものである。
また、有る程度時間をかけてゆっくりと注入する場合や大容量サイズのシリンジを使用した薬液投与などはかなり疲れる。さらに余りにも摺動抵抗が高い場合は、シリンジへ装着して薬液を注入することができるものである。
【課題を解決するための手段】
【０００４】  いま、その構成を説明すると、
（イ）本体２に中心筒６を設ける。
（ロ）中心筒６にギヤＤ１０を設ける。
（ハ）本体２にギヤＡ７、ギヤＢ８、ギヤＣ９を設ける。
（ニ）本体２にハンドル１を設ける。
（ホ）本体２に液体筒固定ツメ３を設ける。
（ヘ）中心筒６にヘッド４を設ける。
（ト）本体２にヘッド回転ツマミ５を設ける。
以上のように装置する。
【発明を実施するための最良の形態】
【０００５】  次に本発明の実施の形態を述べると、液体筒１１を本体２の液体筒固定ツメ３で固定し、ヘッド回転ツマミ５を回し、液体筒１１のガスケットにヘッド４を固定する。あとはハンドル１を回すことによって、ハンドル１に加わる力がギヤＡ７、ギヤＢ８、ギヤＣ９、そして中心筒６のギヤＤ１０へと伝わり中心筒６が液体筒１１に入っていき、液体が吐出される。ハンドル１の径とギヤＡ７とギヤＢ８の減速比によって力を必要とせずに液体を吐出することができる。
なおハンドルを逆回転すれば液体の吸引もできる。
【発明の効果】
【０００６】  したがって、力を必要とせずに液体を吐出することができるものである。
【図面の簡単な説明】
【０００７】
【図１】  本発明の正面図
【図２】  本発明の底面図
【図３】  本発明の左側面図
【図４】  本発明の右側面図
【図５】  本発明の正面からの部分透視図
【図６】  本発明の左側からの部分透視図
【図７】  本発明の使用斜視図
【符号の説明】
【０００８】  １はハンドル
２は本体
３は液体筒固定ツメ
４はヘッド
５はヘッド回転ツマミ
６は中心筒
７はギヤＡ
８はギヤＢ
９はギヤＣ
１０はギヤＤ
１１は液体筒
【図１】
2005245999.tif 000003
【図２】
2005245999.tif 000004
【図３】
2005245999.tif 000005
【図４】
2005245999.tif 000006
【図５】
2005245999.tif 000007
【図６】
2005245999.tif 000008
【図７】
2005245999.tif 000009